(57)【特許請求の範囲】
【請求項１】
物品を固定する固定台座と、該固定台座と共に取付先を挟み込む押え具とを備えた取付治具であって、該固定台座にボルトのヘッド部側を取り付け、該ボルトの先端部側に、２個の押え部材からなる押え具の一端を回動可能に取り付けてなり、該押え部材が両端を重ね合わせることにより取付先の取付け用穴周辺の略全周にわたる環状となる２個のＣ字状金具であり、該押え部材の該ボルトが取り付けられていない他端の重なり合い部分と該固定台座とが固定ボルトにより連結可能にされてなることを特徴とする取付治具。
【請求項２】
該押え部材の一方が該固定台座に対して常に同一位置となるように固定台座と押え部材間に押え具ガイド部材を設けてなることを特徴とする請求項１に記載の取付治具。
【請求項３】
該押え具ガイド部材が復元性材料からなる請求項２に記載の取付治具。
【請求項４】
前記固定台座により固定される物品が水栓であることを特徴とする請求項１から３のいずれかに記載の取付治具。
【発明の詳細な説明】
【０００１】
【発明の属する技術分野】
本発明は、物品を固定する固定台座と、該固定台座と共に取付先を挟み込む押え具とを備えた取付治具に係わり、特に固定台座を取付先に形成された取付穴の外面側から施工するだけで強固に取り付けることが可能な取付治具に関する。
【０００２】
【従来の技術】
内側からの取付けが困難な場所に物品を取り付ける場合、取付け用にあけられた穴に形態を小さくした押え具を挿入したのち、押え具の形態を取付け用の穴の径よりも大きくなるように変形させて、固定台座との間で取付先を挟み込んで固定台座を取付先に取り付ける取付治具が、例えば特開平１０−６０９６３号公報や特開平１０−３１７４３８号公報などにより提案されている。
【０００３】
具体的には、前記特開平１０−６０９６３号公報の取付治具によれば、２本のボルトのヘッド側に固定台座に取り付けると共に、各ボルトの先端側に長靴状のカム面付き爪部材を螺合させて構成される。爪部材を爪部を内側に回した状態で取付け用穴に挿入したのち、ボルトを回転させて、前記爪部を固定台座に向けて移動させると共に外側に回動させ、ボルトを締め込むことにより固定台座と前記爪部材の爪部とをもって取付先を挟み込み、強固に固定する。
【０００４】
一方の特開平１０−３１７４３８号公報の取付治具は、ボルトのヘッド側に水栓取付用の固定台座を取り付け、ボルト先端側に馬蹄形の押え具を螺合させている。馬蹄形の押え具は中央の本体部にネジ穴が形成され、その本体部と左右先端部とに分割されており、本体部と先端部との間を板バネにより連結し、先端部を常に開くように付勢している。取付治具を取付先に固定しようとするときは、前記馬蹄形の押え具の先端部を板バネの付勢に抗して指で摘んで閉じ方向に回動させて、穴にボルトとともに挿入し、指を離すと先端部は板バネの付勢により開き方向に回動する。この状態でボルトを回動させて締め込むことにより、固定台座と馬蹄形の押え具とをもって取付先を挟み込み、固定台座が取付先に強固に固定される。
【０００５】
【発明が解決しようとする課題】
しかるに、上記特開平１０−６０９６３号公報の取付治具は２個の爪部材からなる押え具の爪部をもって取付先を挟み込むものであり、一方の特開平１０−３１７４３８号公報の取付治具も馬蹄形の押え具をもって取付先を挟み込むものであるため、いずれも取付先を挟み込む押え具が穴周辺の一部となり、挟着面積が狭く、固定台座を強固に取り付けることが難しい。
【０００６】
特に、これらの押え具の挟着面積を増大しようとすれば、その構造から取付け用穴も必然的に大きくしなければならず、その結果、固定台座をも不要に大きくしなければならなくなる。また、仮に取付け用穴の周辺が平坦である場合は、ある程度強固に取り付けることができることもあり得るが、押え具が小さな取付け用穴の周辺に対して、その一部を挟着するに過ぎないため、取付け用穴回りに段差がある場合や、取付け用穴の形成時に発生した大きなバリがある場合には、所要の強度をもって取り付けることは不可能に近い。
【０００７】
本発明は、このような問題を解決するために開発されたものであり、その具体的な目的は物品を固定する際の作業性に優れ、しかも固定時の押え具による挟着面積が取付け用穴の全周にわたるように広くとられ、たとえ穴回りが平坦でない場合も確実に且つ強固に固定することを可能にした取付治具を提供することにある。
【０００８】
【課題を解決するための手段】
請求項１に係る発明は、物品を固定する固定台座と、該固定台座と共に取付先を挟み込む押え具とを備えた取付治具であって、該固定台座にボルトのヘッド部側を取り付け、該ボルトの先端部側に、２個の押え部材からなる押え具の一端を回動可能に取り付けてなり、該押え部材が両端を重ね合わせることにより取付先の取付け用穴周辺の略全周にわたる環状となる２個のＣ字状金具であり、該押え部材の該ボルトが取り付けられていない他端の重なり合い部分と該固定台座とが固定ボルトにより連結可能にされてなることを特徴とする取付治具にある。
【０００９】
本発明の取付構造によれば、固定台座をボルトのヘッド部側に取り付け、ボルトの先端部側に、２個の押え部材の一端を回転可能に取り付ける。各押え部材は回転可能であるため、取付け用穴に挿入するときは、ボルト取付端部を中心として、２個の押え部材を閉じ方向に回動させてすぼめた形態として挿入し、挿入後にボルトを回転させると、ボルト取付端部を中心として、拡開方向に回動させる。その結果、押え具は取付け用穴に対して大きな挟着面をもたせることができるようになり、ボルトを締め込むことにより２個の押え部材は固定台座に向けて移動して、取付先を強固に挟み込んで固定できる。
【００１０】
本発明において、該押え部材が両端を重ね合わせることにより取付先の取付け用穴周辺の略全周にわたる環状となる２個の略Ｃ字状金具であることを特徴としている。
【００１１】
すなわち、２個の押え部材を、それぞれ略Ｃ字状の金具から構成し、その一端をボルトの先端部側に回動可能に取り付けており、これをすぼめて取付け用穴に挿入したのち開き、その先端を重ね合わせると環状となり、丁度、取付け用穴の周辺のほぼ全周囲にわたって挟着できるようになる。そのため、固定台座の取付けが極めて強固となるばかりでなく、仮にバリが存在しても挿入が容易な上に、取付け用穴の周辺に段差部があっても、段差を外して強固に挟着することが可能である。
【００１２】
更に本発明にあっては、該押え部材の該ボルトが取り付けられていない他端の重なり合い部分と該固定台座とが固定ボルトにより連結可能にされてなる。
【００１３】
すなわち、本発明にあっては略Ｃ字状の金具からなる押え部材を取付け用穴に挿入したのち拡開させて、その先端部を重ね合わせた時点で他に準備するボルトを固定台座にヘッド部側を取り付けると共に、ボルト先端部側に押え具を螺着する。この状態で、各ボルトを締め込み環状の押え具を固定台座に向けて移動させて取付先に挟着させる。ここで両ボルトを強く締め付けると、環状の押え具は径方向の２点で支持されて取付先に挟着するため、押え具の全面をもって均一に挟着され固定台座の取付けが極めて強固となる。
【００１４】
請求項２に係る発明は、該押え部材の一方が該固定台座に対して常に同一位置となるように固定台座と押え部材間に押え具ガイド部材を設けてなることを特徴としている。前記押え具ガイド部材は、請求項３に規定するように、押え具を捻じっても復元するため、復元性材料から構成することが望ましい。
【００１５】
ボルトを回転させて押え具を締め込むと、押え具は前記押え具ガイド案内されて、該固定台座に対して常に同一の位置関係を維持しながら固定台座に向けて移動する。そのため、取付先の挟着位置がずれることなく、押え具の全挟着面をもって確実に挟着させることができる。
【００１６】
請求項４に係る発明は、前記固定台座により固定される物品が水栓であることを特徴としている。
通常、水栓を固定させるには、流し台や洗面台の下部から水栓の固定のための施工をしなければならず、流し台や洗面台の狭くて暗い場所での作業となり、作業性が悪く、専用の工具が必要となったり、取付時間が長時間になるといった問題が発生する。そこで、本取付治具を用いることにより水栓を流し台や洗面台の上面からの作業のみで、施工を短時間に且つ容易に終了させることができる。
【００１７】
【発明の実施の形態】
以下、本発明の代表的な実施形態を図面に基づいて具体的に説明する。なお、以下に述べる実施形態は本発明の好適な例を示すものであって、これに限定されるものではない。例えば、図示例では押え具を一対のＣ字状金具で構成しているが、これを単なる平板材により構成することもできる。
【００１８】
図１及び図２は本発明の第１実施形態を示している。
本実施形態による取付治具は、固定台座１０と押え具２０とボルト３０とを備えている。固定台座１０はボルト３０のヘッド部側に回転自在に支持される。押え具２０は第１及び第２の２個の押え部材２１，２２から構成されており、それぞれの一端が重ね合わされた状態で前記ボルト３０の先端部側に回動可能に取り付けられている。
【００１９】
固定台座１０は環状台座部１１と短円筒部１２とからなり、短円筒部１２の相対する内壁部に一対の突出部１３，１４が突設され、各突出部１３，１４には上下方向に貫通するボルト挿通穴１５，１６が形成されている。通常の取付け時には、前記一対のボルト挿通穴１３，１４のいずれか一方が使われる。
【００２０】
第１及び第２の押え部材２１，２２は、図２に示すように、ほぼ同一径の半弧状をなした略Ｃ字状を呈しており、各押え部材２１，２２の両端部には段差を介して薄肉部２１ａ，２２ａとされている。重ね合わせたとき下方に位置する第１押え部材２１の各薄肉部２１ａには前記ボルト３０と螺合するネジ穴２１ｂが形成されている。重ね合わせたとき上方に位置する第２押え部材２２の各薄肉部２２ａには前記ボルト３０が挿通され自由回転できるボルト挿通穴２１ｂが形成されている。
【００２１】
前記段差は、図１に示すように、第１及び第２の押え部材２１，２２がボルト３０を中心にすぼむ方向に回動させたとき、対応する各薄肉部２１ａ，２２ａが段差を越えて対応する厚肉部２１ｃ，２２ｃに乗り上げた状態で交差し、第１及び第２の押え部材２１，２２がボルト３０を中心に拡径方向に回動すると、例えば図３に示すように、対応する薄肉部２１ａ，２２ａが密着重合するように形成されている。
【００２２】
いま、本実施形態による取付治具を、図示せぬ取付先の取付け用穴に挿入するときは、第１及び第２の押え部材２１，２２を図１に示すようなすぼみ形態として挿入し、ボルト３０を締め込み方向に回転させる。この回転によりネジ穴２１ｂをもつ第１の押え部材２１が固定台座１０に向けて移動しようとする。このとき、同ボルト３０に対して自由回転する第２の押え部材２２が第１の押え部材２１の動きに合わせて拡径方向に回動して、対応する一対の第１の押え部材２１の薄肉部２１ａに第２の押え部材２２の薄肉部２２ａが段差を介して密着嵌合するして、ほぼ環状となる。
【００２３】
ここで、ボルト３０を更に締め込むと、環状の押え具２０は取付け用穴の周辺全周面に密着して、同周面を前記固定台座１０と共働して強固に挟持固定される。こうして取り付けられた固定台座１０の短円筒部１２に、図示せぬ水栓が固定される。そのため、短円筒部１２の側面には水栓取付け用穴１２ａが形成されている。
【００２４】
図３は、上記第１実施形態の応用例を示している。この応用例によれば、取付治具の構成は第１実施形態と同一であるが、その取付けにあたって、取付治具をより強固に且つ安定して取り付けるものである。そのため、上記構成に加えて、上記ボルト３０とは別に第２の固定用ボルト３１を予め用意しておく。
【００２５】
いま、取付治具を図示せぬ取付け用穴に取り付けようとするときは、上記第１実施形態と同様に、第１及び第２の押え部材２１，２２をすぼみ形態として挿入し、ボルト３０を締め込み方向に回転させ、第１の押え部材２１の薄肉部２１ａに第２の押え部材２２の薄肉部２２ａを段差を介して密着嵌合させて、ほぼ環状にする。このとき、前記ボルト３０が挿通されたボルト挿通穴１５に対向して形成されたボルト挿通穴１６に前記第２のボルト３１を挿通し、その先端を第２の押え部材２２の先端薄肉部に形成されたボルト挿通穴２２ｂを介して、第１の押え部材２１のネジ穴２１ｂにねじ込む。
【００２６】
次いで、上記ボルト３０及び第２のボルト３１を強く締め込むことにより、環状押え具２０は図示せぬ取付け用穴の周面全周にわたり密着し挟着され、固定台座１０を強固に、しかも安定した姿勢で固定することができる。
【００２７】
図４は、本発明の第２実施形態を示している。この実施形態では、上記第１実施形態の構成に新たに下方の第１押え部材２１の移動を案内する押え具ガイド部材４０を取り付けている。
【００２８】
この押え具ガイド部材４０は上記ボルト３０に平行に配され、その上端を固定台座の一部に固着すると共に、その下端を第１押え部材２１に形成されたガイド挿通穴２１ｄに挿通させている。従って、ボルト３０を回転させて押え具２０を固定台座１０の方向に移動させるとき、固定台座１０と環状金具からなる押え具２０とは常に同一の位置関係を維持して、押え具１０を押え具ガイド部材４０によりガイドして移動させることができる。その結果、第１実施形態のごとく、ボルト３０を図示せぬ取付け用穴に差し込むときの位置決め作業を省略することができるようになる。
【００２９】
さらに、押え具ガイド部材４０を復元性良好な材質で構成することにより、取付け用穴への環状金具からなる押え具２０の挿入が困難な場合、固定台座とＣ状金具からなる押え具を捻って挿入し、挿入後固定用ガイドの復元力で元の位置に戻し、固定台座１０と環状金具からなる押え具２０との位置関係を維持させることが可能となる。
【００３０】
以上説明したように、本発明の取付治具構造によれば、ヘッド側を固定台座１０に取り付けたボルトの先端側に回転可能な２個の押え部材を取り付けることにより、取付け用穴に対して大きな挟着面積をもつ押え具とすることが可能であり、取付先を強固に挟み込み固定することが可能となる。
【図面の簡単な説明】
【図１】本発明の第１実施形態を示す組み立て斜視図である。
【図２】本発明に適用される押え具の形態例を示す分解斜視図である。
【図３】第１実施形態の応用例を示す組み立て斜視図である。
【図４】本発明の第２実施形態を示す組み立て斜視図である。
【符号の説明】
１０          固定台座
１１          環状台座部
１２          短円筒部
１２ａ        取付け穴
１３，１４    突出部
１５，１６    ボルト挿通穴
２０          押え具
２１          第１押え部材
２２          第２押え部材
２１ａ，２２ａ薄肉部
２１ｂ，      ネジ穴
２２ｂ        ボルト挿通穴
２１ｃ，２２ｃ厚肉部
３０          ボルト
３１          第２のボルト
４０          押え具ガイド部材
【図１】
0004748834.tif 000002
【図２】
0004748834.tif 000003
【図３】
0004748834.tif 000004
【図４】
0004748834.tif 000005